【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
少なくとも１つの商品登録装置と少なくとも１つの決済装置とを含んだチェックアウトシステムであって、
前記商品登録装置は、
買上商品の商品コードを取得し、買上商品のリストを作成する作成部と、
前記作成部により作成された前記リストに基づいて、前記買上商品の決済のための決済情報の生成を指示する生成指示部と、
前記生成指示部の指示により生成された前記決済情報を前記決済装置の１つへと通知する通知部と、
前記生成指示部の指示により生成され、前記通知部により前記決済装置へ通知がなされていない前記決済情報を記憶する記憶部と、
同一の買物客の買上商品についての会計を分割する分割会計の実施を、操作者による指示に応じて決定する決定部と、
前記生成指示部により前記決済情報の生成が指示された時点で前記決定部により前記分割会計の実施が決定されている場合には、前記分割会計における次の会計分の登録開始を促すメッセージを表示するように表示部を制御する第１の制御部と、
前記決済情報の通知が前記操作者により指示されたことに応じて、前記記憶部が記憶する前記決済情報を、前記決済装置の１つへと通知するように前記通知部を制御する第２の制御部と、を具備し、
前記決済装置は、
前記通知部により通知された前記決済情報に基づいて決済処理を行う決済部と、
前記通知部により複数の決済情報が通知された場合には、これら複数の決済情報のそれぞれに基づくレシートを個別に発行する発行部と、を具備するチェックアウトシステム。
【請求項２】
少なくとも１つの決済装置とともにチェックアウトシステムを構成する商品登録装置であって、
買上商品の決済のための決済情報の生成を指示する生成指示部と、
前記生成指示部の指示により生成された前記決済情報を前記決済装置の１つへと通知する通知部と、
前記生成指示部の指示により生成され、前記通知部により前記決済装置へ通知がなされていない前記決済情報を記憶する記憶部と、
同一の買物客の買上商品についての会計を分割する分割会計の実施を、操作者による指示に応じて決定する決定部と、
前記生成指示部により前記決済情報の生成が指示された時点で前記決定部により前記分割会計の実施が決定されている場合には、前記分割会計における次の会計分の登録開始を促すメッセージを表示するように表示部を制御する第１の制御部と、
前記決済情報の通知が前記操作者により指示されたことに応じて、前記記憶部が記憶する前記決済情報を、前記決済装置の１つへと通知するように前記通知部を制御する第２の制御部と、を具備する商品登録装置。
【請求項３】
前記第１の制御部は、前記メッセージとともに分割会計における次の会計分の買上登録を開始することを指定するボタンを更に表示するように前記表示部を制御する、
請求項２に記載の商品登録装置。
【請求項４】
買上商品の商品コードを取得する取得部と、
前記取得部により取得された前記商品コードに基づいて前記買上商品のリストを作成する作成部と、
をさらに具備し、
前記作成部は、前記ボタンが操作されたことに応じて前記リストを新規に作成する、
請求項３に記載の商品登録装置。
【請求項５】
複数の商品登録装置とともにチェックアウトシステムを構成する決済装置であって、
前記複数の商品登録装置のうちの１つにより複数の決済情報が通知された場合に、一括決済を実行するか否かを操作者による指示に応じて設定する設定部と、
前記一括決済を実行しないことが前記設定部により設定された場合には、前記商品登録装置により通知された複数の前記決済情報のそれぞれに基づく複数回の決済処理を個別に行い、前記一括決済を実行することが前記設定部により設定された場合には、前記商品登録装置により通知された複数の前記決済情報にそれぞれ示された合計金額に基づいて求まる総計金額を決済するための一回の決済処理を行う決済部と、
を具備した決済装置。
【請求項６】
少なくとも１つの決済装置とともにチェックアウトシステムを構成するものであり、記憶部と、買上商品の決済のための決済情報の生成を指示する生成指示部と、を備えた商品登録装置を制御するコンピュータを、
前記生成指示部の指示により生成された決済情報を前記決済装置の１つへと通知する通知部と、
同一の買物客の買上商品についての会計を分割する分割会計の実施を、操作者による指示に応じて決定する決定部と、
前記生成指示部により前記決済情報の生成が指示された時点で前記決定部により前記分割会計の実施が決定されている場合には、前記分割会計における次の会計分の登録開始を促すメッセージを表示するように表示部を制御する第１の制御部と、
前記決済情報の通知が前記操作者により指示されたことに応じて、前記記憶部が記憶している前記通知部により前記決済装置へ通知がなされていない前記決済情報を、前記決済装置の１つへと通知するように前記通知部を制御する第２の制御部と、して機能させるための制御プログラム。
【手続補正２】
【補正対象書類名】明細書
【補正対象項目名】発明の名称
【補正方法】変更
【補正の内容】
【発明の名称】チェックアウトシステム、商品登録装置およびその制御プログラム、ならびに決済装置
【手続補正３】
【補正対象書類名】明細書
【補正対象項目名】０００１
【補正方法】変更
【補正の内容】
【０００１】
本発明の実施形態は、チェックアウトシステム、商品登録装置およびその制御プログラム、ならびに決済装置に関する。
【手続補正４】
【補正対象書類名】明細書
【補正対象項目名】０００６
【補正方法】変更
【補正の内容】
【０００６】
本発明が解決しようとする課題は、商品登録装置における決済情報を転送するための待ち時間を増加させることなしに、分割会計に関わる複数の決済情報に基づく決済を同一の決済装置において行えるチェックアウトシステム、商品登録装置およびその制御プログラム、ならびに決済装置を提供することである。
【手続補正５】
【補正対象書類名】明細書
【補正対象項目名】０００７
【補正方法】変更
【補正の内容】
【０００７】
実施形態のチェックアウトシステムは、商品登録装置と決済装置とを含み、商品登録装置は、生成指示部、通知部、決定部、第１の制御部、記憶部、第２の制御部を備え、決済装置は、決済部、発行部を備える。生成指示部は、買上商品の決済のための決済情報の生成を指示する。通知部は、生成指示部の指示により生成された決済情報を決済装置の１つへと通知する。記憶部は、生成指示部の指示により生成され、通知部により決済装置へ通知がなされていない決済情報を記憶する。決定部は、同一の買物客の買上商品についての会計を分割する分割会計の実施を、操作者による指示に応じて決定する。第１の制御部は、前記生成指示部により前記決済情報の生成が指示された時点で決定部により分割会計の実施が決定されている場合には、前記分割会計における次の会計分の登録開始を促すメッセージを表示するように表示部を制御する。第２の制御部は、決済情報の通知が操作者により指示されたことに応じて、記憶部が記憶する決済情報を、決済装置の１つへと通知するように通知部を制御する。決済部は、通知部により通知された決済情報に基づいて決済処理を行う。発行部は、通知部により複数の決済情報が通知された場合には、これら複数の決済情報のそれぞれに基づくレシートを個別に発行する。
【手続補正６】
【補正対象書類名】明細書
【補正対象項目名】００８２
【補正方法】変更
【補正の内容】
【００８２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願の当初の特許請求の範囲に記載された発明を付記する。
［付記１］  少なくとも１つの商品登録装置と少なくとも１つの決済装置とを含んだチェックアウトシステムであって、
前記商品登録装置は、
買上商品の商品コードを取得し、買上商品のリストを作成する作成部と、
前記作成部により作成された前記リストに基づいて、前記買上商品の決済のための決済情報を生成する生成部と、
前記生成部により生成された前記決済情報を前記決済装置の１つへと通知する通知部と、
同一の買物客の買上商品についての会計を複数回に分割する分割会計の実施を、操作者による指示に応じて決定する決定部と、
前記決定部により前記分割会計の実施が決定されていない場合には、前記通知部による前記決済情報の通知が行われるまでは前記リストの新規の作成開始を禁止し、前記分割会計の実施が決定されている場合には、前記通知部による前記決済情報の通知が行われていなくとも前記リストの新規の作成開始を許容するように前記作成部を制御する第１の制御部と、
前記通知部による通知がなされていない前記決済情報を記憶する記憶部と、
前記決済情報の通知が前記操作者により指示されたことに応じて、前記記憶部が記憶する前記決済情報の全てを、前記決済装置の１つへと通知するように前記通知部を制御する第２の制御部と、を具備し、
前記決済装置は、
前記通知部により通知された前記決済情報に基づいて決済処理を行う決済部と、
前記通知部により複数の決済情報が通知された場合には、これら複数の決済情報のそれぞれに基づくレシートを個別に発行する発行部と、を具備することを特徴とするチェックアウトシステム。
［付記２］  少なくとも１つの決済装置とともにチェックアウトシステムを構成する商品登録装置であって、
買上商品の商品コードを取得し、買上商品のリストを作成する作成部と、
前記作成部により作成された前記リストに基づいて、前記買上商品の決済のための決済情報を生成する生成部と、
前記生成部により生成された前記決済情報を前記決済装置の１つへと通知する通知部と、
同一の買物客の買上商品についての会計を複数回に分割する分割会計の実施を、操作者による指示に応じて決定する決定部と、
前記決定部により前記分割会計の実施が決定されていない場合には、前記通知部による前記決済情報の通知が行われるまでは前記リストの新規の作成開始を禁止し、前記分割会計の実施が決定されている場合には、前記通知部による前記決済情報の通知が行われていなくとも前記リストの新規の作成開始を許容するように前記作成部を制御する第１の制御部と、
前記通知部による通知がなされていない前記決済情報を記憶する記憶部と、
前記決済情報の通知が前記操作者により指示されたことに応じて、前記記憶部が記憶する前記決済情報の全てを、前記決済装置の１つへと通知するように前記通知部を制御する第２の制御部と、を具備することを特徴とする商品登録装置。
［付記３］  少なくとも１つの商品登録装置とともにチェックアウトシステムを構成する決済装置であって、
前記商品登録装置は、
買上商品の商品コードを取得し、買上商品のリストを作成する作成部と、
前記作成部により作成された前記リストに基づいて、前記買上商品の決済のための決済情報を生成する生成部と、
前記生成部により生成された前記決済情報を前記決済装置の１つへと通知する通知部と、
同一の買物客の買上商品についての会計を複数回に分割する分割会計の実施を、操作者による指示に応じて決定する決定部と、
前記決定部により前記分割会計の実施が決定されていない場合には、前記通知部による前記決済情報の通知が行われるまでは前記リストの新規の作成開始を禁止し、前記分割会計の実施が決定されている場合には、前記通知部による前記決済情報の通知が行われていなくとも前記リストの新規の作成開始を許容するように前記作成部を制御する第１の制御部と、
前記通知部による通知がなされていない前記決済情報を記憶する記憶部と、
前記決済情報の通知が前記操作者により指示されたことに応じて、前記記憶部が記憶する前記決済情報の全てを、前記決済装置の１つへと通知するように前記通知部を制御する第２の制御部と、を具備し、
前記決済装置は、
前記通知部により通知された前記決済情報に基づいて決済処理を行う決済部と、
前記通知部により複数の決済情報が通知された場合には、これら複数の決済情報のそれぞれに基づくレシートを個別に発行する発行部と、を具備することを特徴とする決済装置。
［付記４］  前記通知部により複数の決済情報が通知された場合に、一括決済を実行するか否かを前記操作者とは異なる第２の操作者による指示に応じて設定する設定部をさらに備え、
前記決済部は、前記一括決済を実行しないことが前記設定部により設定された場合には、前記通知部により通知された複数の前記決済情報のそれぞれに基づく複数回の決済処理を個別に行い、前記一括決済を実行することが前記設定部により設定された場合には、前記通知部により通知された複数の前記決済情報にそれぞれ示された合計金額に基づいて求まる総計金額を決済するための一回の決済処理を行うことを特徴とする付記３に記載の決済装置。
［付記５］  少なくとも１つの決済装置とともにチェックアウトシステムを構成する商品登録装置を制御するコンピュータを、
買上商品の商品コードを取得し、買上商品のリストを作成する作成部と、
前記作成部により作成された前記リストに基づいて、前記買上商品の決済のための決済情報を生成する生成部と、
前記生成部により生成された前記決済情報を前記決済装置の１つへと通知する通知部と、
同一の買物客の買上商品についての会計を複数回に分割する分割会計の実施を、操作者による指示に応じて決定する決定部と、
前記決定部により前記分割会計の実施が決定されていない場合には、前記通知部による前記決済情報の通知が行われるまでは前記リストの新規の作成開始を禁止し、前記分割会計の実施が決定されている場合には、前記通知部による前記決済情報の通知が行われていなくとも前記リストの新規の作成開始を許容するように前記作成部を制御する第１の制御部と、
前記通知部による通知がなされていない前記決済情報を記憶する記憶部と、
前記決済情報の通知が前記操作者により指示されたことに応じて、前記記憶部が記憶する前記決済情報の全てを、前記決済装置の１つへと通知するように前記通知部を制御する第２の制御部と、して機能させるための制御プログラム。
［付記６］  少なくとも１つの商品登録装置と少なくとも１つの決済装置とを含み、
前記商品登録装置は、
買上商品の商品コードを取得し、買上商品のリストを作成する作成部と、
前記作成部により作成された前記リストに基づいて、前記買上商品の決済のための決済情報を生成する生成部と、
前記生成部により生成された前記決済情報を前記決済装置の１つへと通知する通知部と、
同一の買物客の買上商品についての会計を複数回に分割する分割会計の実施を、操作者による指示に応じて決定する決定部と、
前記決定部により前記分割会計の実施が決定されていない場合には、前記通知部による前記決済情報の通知が行われるまでは前記リストの新規の作成開始を禁止し、前記分割会計の実施が決定されている場合には、前記通知部による前記決済情報の通知が行われていなくとも前記リストの新規の作成開始を許容するように前記作成部を制御する第１の制御部と、
前記通知部による通知がなされていない前記決済情報を記憶する記憶部と、
前記決済情報の通知が前記操作者により指示されたことに応じて、前記記憶部が記憶する前記決済情報の全てを、前記決済装置の１つへと通知するように前記通知部を制御する第２の制御部と、を具備したチェックアウトシステムにおける前記決済装置の１つを制御するコンピュータを、
前記通知部により通知された前記決済情報に基づいて決済処理を行う決済部と、
前記通知部により複数の決済情報が通知された場合には、これら複数の決済情報のそれぞれに基づくレシートを個別に発行する発行部と、して機能させるための制御プログラム。